【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
液体を吐出する記録ヘッドに液体を供給する送液装置が有する複数の送液ポンプを駆動する駆動装置であって、
前記複数の送液ポンプにそれぞれ対応するように複数配置され、回転駆動の伝達を受けて駆動する複数の駆動入力ギヤと、
前記駆動入力ギヤを回転駆動する駆動源である回転駆動源と、
複数の前記駆動入力ギヤにそれぞれ対応するように複数配置され、前記回転駆動源の駆動により回転する複数の駆動出力ギヤと、
複数の前記駆動入力ギヤのそれぞれに対応するように複数配置され、前記駆動入力ギヤ及び前記駆動出力ギヤの両方にギヤ連結する駆動伝達位置に位置したときに、前記駆動出力ギヤの回転駆動を前記駆動入力ギヤに伝達する複数の駆動伝達ギヤと、
前記駆動伝達ギヤの位置を、前記駆動伝達ギヤが前記駆動入力ギヤ及び前記駆動出力ギヤの少なくとも一方に対して離間する駆動非伝達位置と、前記駆動伝達位置との間で移動させることで前記駆動入力ギヤに対する駆動の入力状態を切り替える駆動切替手段と、を備え、
前記駆動切替手段は、
一端が前記駆動出力ギヤの回転軸に支持され、他端が前記駆動伝達ギヤの回転軸に支持されており、複数の前記駆動伝達ギヤのそれぞれが前記駆動非伝達位置と前記駆動伝達位置との間を移動するように、前記駆動伝達ギヤの移動方向を規制して、ガイドする駆動伝達ギヤガイド部材と、
前記駆動伝達ギヤの回転軸に直交する平面に平行な方向に移動可能であって、この移動方向に沿った形状に形成されたスリットに複数の前記駆動伝達ギヤのすべての回転軸を挟むことによって前記駆動伝達ギヤの移動を前記スリットで規制するスリット部材と、
前記スリット部材を前記平面に平行な方向に移動するよう駆動するスリット部材駆動源と、を有し、
前記駆動伝達ギヤは、前記駆動伝達ギヤガイド部材及び前記スリット部材により移動が規制された状態で、前記駆動出力ギヤの周囲を回転しながら前記平面に平行な方向に移動することにより前記駆動非伝達位置と前記駆動伝達位置との間を移動することを特徴とする駆動装置。
【請求項２】
請求項１の駆動装置において、
前記スリット部材は、前記スリット部材駆動源が駆動することによって、直線状の往復移動を行うことを特徴とする駆動装置。
【請求項３】
請求項１の駆動装置において、
複数の前記駆動出力ギヤは、前記回転駆動源から回転駆動力を伝達される中央駆動ギヤに各々噛み合うように、前記中央駆動ギヤの周囲に配置されており、
複数の前記駆動入力ギヤは、複数の前記駆動出力ギヤの外側であって、複数の前記駆動出力ギヤの周囲に配置されており、
前記スリット部材の前記スリットが、複数の前記駆動伝達ギアのすべての回転軸を挟んでいて、
前記スリット部材は、前記スリット部材駆動源が回転駆動することによって回転移動し、前記駆動伝達ギヤを前記駆動非伝達位置と前記駆動伝達位置との間で移動させることを特徴とする駆動装置。
【請求項４】
請求項１乃至３の何れか一項に記載の駆動装置において、
一つの前記スリット部材の前記スリットに対して、複数の前記駆動伝達ギヤの回転軸が配置されていることを特徴とする駆動装置。
【請求項５】
請求項１乃至４の何れか一項に記載の駆動装置において、
前記スリット部材駆動源が駆動することによって、複数の前記スリット部材が移動することを特徴とする駆動装置。
【請求項６】
前記記録ヘッドは、異なる種類の液体を液滴として吐出するノズル孔を備えた複数のヘッド部を有し、
前記複数のヘッド部にそれぞれ液体を供給する複数のヘッドタンクと、
前記記録ヘッドに供給する液体を収容する交換可能な複数のメインタンクと、
前記複数のメインタンクから前記複数のヘッドタンクにそれぞれ液体を送液し、且つ、前記ヘッドタンクから前記メインタンクに液体を逆送することができる複数の前記送液ポンプと、
前記複数の送液ポンプに対して回転駆動を伝達して、各送液ポンプを駆動するポンプ駆動手段とを備え、
前記ポンプ駆動手段として、請求項１乃至５の何れか一項に記載の駆動装置を用い、前記回転駆動源は前記送液ポンプに前記駆動入力ギヤを介して回転駆動を伝達することを特徴とする送液装置。
【請求項７】
請求項６に記載の送液装置を用いて前記複数のヘッド部に液体を送液し、
前記複数のヘッド部の前記ノズル孔から吐出した液体を記録媒体に付着させることで画像を形成することを特徴とする画像形成装置。
【請求項８】
請求項７の画像形成装置において、
前記ヘッド部におけるノズル孔が設けられたノズル面をキャッピングするキャッピング部材と、
前記キャッピング部材に接続され、駆動することによってキャッピングされた状態の前記ノズル面に対して負圧を作用させる吸引ポンプとを備え、
前記回転駆動源は前記駆動入力ギヤを介して前記吸引ポンプを駆動することを特徴とする画像形成装置。
【請求項９】
請求項７の画像形成装置において、
前記ヘッドタンクの内部を大気開放するように開閉可能な大気開放機構を備え、
前記回転駆動源は、前記大気開放機構を駆動することを特徴とする画像形成装置。
【手続補正２】
【補正対象書類名】明細書
【補正対象項目名】発明の名称
【補正方法】変更
【補正の内容】
【発明の名称】駆動装置、送液装置および画像形成装置
【手続補正３】
【補正対象書類名】明細書
【補正対象項目名】０００１
【補正方法】変更
【補正の内容】
【０００１】
本発明は、回転駆動の伝達を受けて駆動する複数の被駆動部としての送液ポンプと、送液ポンプに入力される回転駆動の駆動源である回転駆動源とを備えた駆動装置並びにこの駆動装置を備えた送液装置及び画像形成装置に関するものである。
【手続補正４】
【補正対象書類名】明細書
【補正対象項目名】０００６
【補正方法】変更
【補正の内容】
【０００６】
特許文献３には、三以上のインク経路と、各インク経路に設けられ、各インク経路内のインクを移送する三以上のポンプと、これらのポンプを駆動させる単一の駆動源と、駆動源から入力した第一方向の回転動力によって、駆動対象となるポンプを選択し、駆動源から入力した第二方向の回転動力によって、選択されたポンプを駆動させる選択駆動機構と、を備えたインクジェットプリンタが記載されている。
このインクジェットプリンタが備える選択駆動機構は、回転動力が入力されることによってによって第一方向及び第二方向に回転される太陽歯車と、太陽歯車の回転に応じて太陽歯車の周りを公転し、且つ、公転が規制された状態では、太陽歯車の回転に応じて自転する遊星歯車と、太陽歯車の第一方向回転に応じて遊星歯車が公転する際、遊星歯車に順次噛み合うように遊星歯車の公転軌跡に沿って配置されたポンプのポンプ駆動歯車と、太陽歯車の第二方向回転に応じた遊星歯車の公転を、ポンプ駆動歯車との噛み合い位置で規制する公転規制手段と、を備える。
【手続補正５】
【補正対象書類名】明細書
【補正対象項目名】００１１
【補正方法】変更
【補正の内容】
【００１１】
本発明は以上の問題点に鑑みなされたものであり、その目的は、駆動源によって各被駆動部としての送液ポンプに対する駆動の伝達を行う構成で、駆動を伝達する送液ポンプの選択と、選択した送液ポンプに対して正逆両方向の回転駆動の伝達とを行うことが出来る駆動装置、並びにこれを備えた送液装置及び画像形成装置を提供することである。
【手続補正６】
【補正対象書類名】明細書
【補正対象項目名】００１２
【補正方法】変更
【補正の内容】
【００１２】
上記目的を達成するために、請求項１の発明は、液体を吐出する記録ヘッドに液体を供給する送液装置が有する複数の送液ポンプを駆動する駆動装置であって、前記複数の送液ポンプにそれぞれ対応するように複数配置され、回転駆動の伝達を受けて駆動する複数の駆動入力ギヤと、前記駆動入力ギヤを回転駆動する駆動源である回転駆動源と、複数の前記駆動入力ギヤにそれぞれ対応するように複数配置され、前記回転駆動源の駆動により回転する複数の駆動出力ギヤと、複数の前記駆動入力ギヤのそれぞれに対応するように複数配置され、前記駆動入力ギヤ及び前記駆動出力ギヤの両方にギヤ連結する駆動伝達位置に位置したときに、前記駆動出力ギヤの回転駆動を前記駆動入力ギヤに伝達する複数の駆動伝達ギヤと、前記駆動伝達ギヤの位置を、前記駆動伝達ギヤが前記駆動入力ギヤ及び前記駆動出力ギヤの少なくとも一方に対して離間する駆動非伝達位置と、前記駆動伝達位置との間で移動させることで前記駆動入力ギヤに対する駆動の入力状態を切り替える駆動切替手段と、を備え、前記駆動切替手段は、一端が前記駆動出力ギヤの回転軸に支持され、他端が前記駆動伝達ギヤの回転軸に支持されており、複数の前記駆動伝達ギヤのそれぞれが前記駆動非伝達位置と前記駆動伝達位置との間を移動するように、前記駆動伝達ギヤの移動方向を規制して、ガイドする駆動伝達ギヤガイド部材と、前記駆動伝達ギヤの回転軸に直交する平面に平行な方向に移動可能であって、この移動方向に沿った形状に形成されたスリットに複数の前記駆動伝達ギヤのすべての回転軸を挟むことによって前記駆動伝達ギヤの移動を前記スリットで規制するスリット部材と、前記スリット部材を前記平面に平行な方向に移動するよう駆動するスリット部材駆動源と、を有し、前記駆動伝達ギヤは、前記駆動伝達ギヤガイド部材及び前記スリット部材により移動が規制された状態で、前記駆動出力ギヤの周囲を回転しながら前記平面に平行な方向に移動することにより前記駆動非伝達位置と前記駆動伝達位置との間を移動することを特徴とするものである。
【手続補正７】
【補正対象書類名】明細書
【補正対象項目名】００１３
【補正方法】変更
【補正の内容】
【００１３】
本発明においては、駆動伝達ギヤの回転軸が後述する移動方向スリット部にあるときには、駆動伝達ギヤガイド部材がガイドする方向に対してはスリットの規制により移動することが出来ず、スリットに沿う方向に対しては、駆動伝達ギヤガイド部材の規制により移動することが出来ない。このため、スリット部材駆動源を駆動して、駆動伝達ギヤに対するスリット部材の位置が変化しても、駆動伝達ギヤの回転軸が移動方向スリット部にあるときには、駆動伝達ギヤは、駆動非伝達位置または駆動伝達位置の一方の位置となる。さらに、スリット部材駆動源を駆動して、駆動伝達ギヤに対するスリット部材の位置がさらに変化して、駆動伝達ギヤの回転軸がギヤガイド方向スリット部に到達すると、駆動伝達ギヤの回転軸が駆動非伝達位置または駆動伝達位置の他方の位置へと移動する。このような構成により、本発明においては、スリット部材駆動源の駆動を制御して、駆動伝達ギヤに対するスリット部材の位置を制御することにより、任意の駆動伝達ギヤについて駆動非伝達位置と駆動伝達位置との間を移動させることができる。
さらに、本発明においては、すべての駆動伝達ギヤの回転軸をスリット部材のスリットに挟んでいるため、三つ以上のすべての駆動伝達ギヤについて駆動非伝達位置と駆動伝達位置との間を移動させることができる。そして、複数の駆動伝達ギヤの少なくとも一つが駆動伝達位置にある状態で、回転駆動源を駆動させることで、駆動伝達位置に位置する駆動伝達ギヤにのみ駆動の伝達を行うため、スリット部材駆動源の駆動を制御することにより、駆動を伝達する送液ポンプの選択を行うことができる。
このように、本発明の駆動装置では、回転駆動源とスリット部材駆動源との二つの駆動源によって、各送液ポンプに対する駆動の伝達を行うことができ、駆動を伝達する送液ポンプの選択を行うことができる。
また、駆動伝達ギヤが駆動伝達位置に位置する状態では、駆動出力ギヤから駆動入力ギヤまでは駆動伝達ギヤを介した通常のギヤ連結であるため、送液ポンプに対して正逆両方の駆動を伝達することができる。
【手続補正８】
【補正対象書類名】明細書
【補正対象項目名】００１４
【補正方法】変更
【補正の内容】
【００１４】
本発明によれば、二つの駆動源によって各被駆動部としての送液ポンプに対する駆動の伝達を行う構成で、駆動を伝達する送液ポンプの選択と、選択した送液ポンプに対して正逆両方向の回転駆動の伝達とを行うことが出来るという優れた効果がある。
【手続補正９】
【補正対象書類名】明細書
【補正対象項目名】００３９
【補正方法】変更
【補正の内容】
【００３９】
〔実施例１〕
次に、供給ポンプユニット１２４が備える四つの供給ポンプや維持回復機構１８１が備える吸引ポンプ等の駆動入力部に駆動を伝達してポンプを駆動するポンプ駆動装置の一つ目の実施例（以下、実施例１と呼ぶ）について説明する。
図１は、実施例１のポンプ駆動装置２０の概略構成図であり、図１（ａ）は、ポンプ駆動装置２０の側面図、図１（ｂ）は、ポンプ駆動装置２０の正面図である。
図１に示すポンプ駆動装置２０は、四つのポンプ２を備え、ポンプ２は、それぞれが備える駆動入力ギヤであるポンプ駆動ギヤ１に回転駆動の伝達を受けて駆動する。また、ポンプ駆動装置２０は、回転駆動モータ６、モータギヤ６ｇ、中央駆動ギヤ４、アイドラギヤ８、切替ギヤ３、切替ギヤ揺動レバー３ｂ、円形スリット板５及びスリット駆動モータ７等を備える。
【手続補正１０】
【補正対象書類名】明細書
【補正対象項目名】００４０
【補正方法】変更
【補正の内容】
【００４０】
回転駆動モータ６は、被駆動部としての送液ポンプであるポンプ２に入力される回転駆動の駆動源であり、アイドラギヤ８は、回転駆動モータ６の回転駆動によってモータギヤ６ｇ及び中央駆動ギヤ４を介して、回転駆動が伝達され回転する駆動出力ギヤである。切替ギヤ３は、４つのポンプ駆動ギヤ１のそれぞれに対応するように四つ配置され、ポンプ駆動ギヤ１及びアイドラギヤ８にギヤ連結する駆動伝達位置に位置することで、アイドラギヤ８の回転駆動をポンプ駆動ギヤ１に伝達する駆動伝達ギヤである。
さらに、ポンプ駆動装置２０は、切替ギヤ３の位置を、切替ギヤ３がポンプ駆動ギヤ１及びアイドラギヤ８の少なくとも一方に対して離間する駆動非伝達位置と駆動伝達位置との間で移動させることで、ポンプ２に対する駆動の入力状態を切り替える駆動切替手段を備える。
【手続補正１１】
【補正対象書類名】明細書
【補正対象項目名】００４１
【補正方法】変更
【補正の内容】
【００４１】
切替ギヤ３は、その回転軸である切替ギヤ軸３ａに直交する平面（図１（ｂ）で示す平面）に平行な方向に移動することで上記駆動非伝達位置と上記駆動伝達位置との間を図１中の矢印Ａで示すように移動する。そして、ポンプ駆動装置２０は、駆動切替手段として、切替ギヤ揺動レバー３ｂ、円形スリット板５及びスリット駆動モータ７を備え、さらに、切替ギヤ揺動レバー３ｂの切替ギヤ軸３ａ側をポンプ駆動ギヤ１に向けて付勢する不図示の切替ギヤ付勢バネを備える。
切替ギヤ揺動レバー３ｂは、一端がアイドラギヤ８の回転軸であるアイドラギヤ軸８ａに対して回転自在に支持されており、他端が切替ギヤ軸３ａを回転可能に支持している。このような構成により、切替ギヤ軸３ａの移動範囲及び移動方向はアイドラギヤ軸８ａを中心とした円周上に規制される。この規制により、切替ギヤ揺動レバー３ｂは、切替ギヤ３が駆動非伝達位置と駆動伝達位置との間を移動するように、切替ギヤ３の移動方向を規制して、ガイドする駆動伝達ギヤガイド部材として機能する。
【手続補正１２】
【補正対象書類名】明細書
【補正対象項目名】００４２
【補正方法】変更
【補正の内容】
【００４２】
スリット部材である円形スリット板５は、切替ギヤ軸３ａに直交する平面（図１（ｂ）平面）に平行な所定の方向として、スリット板回転軸５ａを中心とした回転方向に回転移動可能である。そして、この回転移動方向に沿った形状に形成された移動方向スリット部である円状スリット部１２ａを含むスリット１２に四つすべての切替ギヤ軸３ａを挟み、切替ギヤ３の移動をスリット１２で規制する。また、スリット駆動モータ７は、スリット板回転軸５ａを介して円形スリット板５に回転駆動を伝達するスリット部材駆動源である。
【手続補正１３】
【補正対象書類名】明細書
【補正対象項目名】００４３
【補正方法】変更
【補正の内容】
【００４３】
実施例１のポンプ駆動装置２０では、切替ギヤ軸３ａがスリット１２における円状スリット部１２ａにあるときには、スリット１２の規制と切替ギヤ揺動レバー３ｂの規制とによって、切替ギヤ３の位置をポンプ駆動ギヤ１に対して離間した駆動非伝達位置とする。そして、スリット１２は、円状スリット部１２ａと連続したスリット部として、切替ギヤ軸３ａが到達したときに、切替ギヤ３を切替ギヤ揺動レバー３ｂがガイドする方向（アイドラギヤ軸８ａを中心とした回転方向）に移動させ、切替ギヤ３がポンプ駆動ギヤ１及びアイドラギヤ８の両方に噛み合う駆動伝達位置へと切替ギヤ３を移動させるギヤガイド方向スリット部としてのレバー揺動方向スリット部１２ｂを備える。
【手続補正１４】
【補正対象書類名】明細書
【補正対象項目名】００４４
【補正方法】変更
【補正の内容】
【００４４】
実施例１のポンプ駆動装置２０では、回転駆動モータ６によって発生する回転駆動力は、中央駆動ギヤ４及びアイドラギヤ８を経て切替ギヤ３に伝達する。切替ギヤ３は、円形スリット板５によってポンプ２に対して駆動を入力するポンプ駆動ギヤ１と、接続または離間する位置へとアイドラギヤ８の周囲を回転しながら移動することが可能である。円形スリット板５はスリット駆動モータ７によって回転する。このとき、スリット１２のレバー揺動方向スリット部１２ｂが切替ギヤ３の位置に回転してくると、不図示の切替ギヤ付勢バネの付勢力によって、切替ギヤ３はレバー揺動方向スリット部１２ｂに沿ってアイドラギヤ８の周囲を回転しながら、ポンプ駆動ギヤ１と接続する位置まで移動する。この状態で、回転駆動モータ６を駆動することによって、ポンプ駆動ギヤ１を介してポンプ２に回転駆動が伝達される。
【手続補正１５】
【補正対象書類名】明細書
【補正対象項目名】００４５
【補正方法】変更
【補正の内容】
【００４５】
実施例１のポンプ駆動装置２０では、円形スリット板５におけるレバー揺動方向スリット部１２ｂの位置を回転移動させることで、四つのうちの何れの切替ギヤ３を対応するポンプ駆動ギヤ１に接続させるか、を選択することができる。また、切替ギヤ３を介して駆動が入力される被駆動部としては、ポンプに限るものではなく、維持ユニットや大気開放弁などの他のメンテナンスユニットへ動力を伝達させる構成としても良い。
【手続補正１６】
【補正対象書類名】明細書
【補正対象項目名】００４６
【補正方法】変更
【補正の内容】
【００４６】
〔実施例２〕
次に、供給ポンプユニット１２４が備える四つの供給ポンプや維持回復機構１８１が備える吸引ポンプ等の駆動入力部に駆動を伝達してポンプを駆動するポンプ駆動装置の二つ目の実施例（以下、実施例２と呼ぶ）について説明する。
図６は、実施例２のポンプ駆動装置２０の概略構成図であり、図６（ａ）は、ポンプ駆動装置２０の側面図、図６（ｂ）は、ポンプ駆動装置２０の正面図である。
図６に示すポンプ駆動装置２０は、複数のポンプ２を備え、ポンプ２は、それぞれが備える駆動入力ギヤであるポンプ駆動ギヤ１に回転駆動の伝達を受けて駆動する。また、ポンプ駆動装置２０は、回転駆動モータ６、中央駆動ギヤ４、アイドラギヤ８、切替ギヤ３、切替ギヤ揺動レバー３ｂ、直線スリット板９、スリット駆動カム１１、スリット駆動リンク１０及びスリット駆動モータ７等を備える。
【手続補正１７】
【補正対象書類名】明細書
【補正対象項目名】００４８
【補正方法】変更
【補正の内容】
【００４８】
実施例２のポンプ駆動装置２０では、切替ギヤ軸３ａがスリット１２における直線状スリット部１２ｃにあるときには、スリット１２の規制と切替ギヤ揺動レバー３ｂの規制とによって、切替ギヤ３の位置をポンプ駆動ギヤ１に対して離間した駆動非伝達位置とする。
実施例２のポンプ駆動装置２０では、回転駆動モータ６によって発生する回転駆動力は、中央駆動ギヤ４及びアイドラギヤ８を経て切替ギヤ３に伝達する。切替ギヤ３は、直線スリット板９によってポンプ２に対して駆動を入力するポンプ駆動ギヤ１と、接続または離間する位置へとアイドラギヤ８の周囲を回転しながら移動することが可能である。スリット駆動モータ７が回転駆動することによって、スリット駆動カム１１が回転し、スリット駆動リンク１０が揺動することで、直線スリット板９は図６（ｂ）中の左右方向へと移動する。このとき、スリット１２のレバー揺動方向スリット部１２ｂが切替ギヤ３の位置にスライドしてくると、不図示の切替ギヤ付勢バネの付勢力によって、切替ギヤ３はレバー揺動方向スリット部１２ｂに沿ってアイドラギヤ８の周囲を回転しながら、ポンプ駆動ギヤ１と接続する位置まで移動する。この状態で、回転駆動モータ６を駆動することによって、ポンプ駆動ギヤ１を介してポンプ２に回転駆動が伝達される。
【手続補正１８】
【補正対象書類名】明細書
【補正対象項目名】００４９
【補正方法】変更
【補正の内容】
【００４９】
実施例２のポンプ駆動装置２０では、直線スリット板９におけるレバー揺動方向スリット部１２ｂの位置をスライド移動させることで、複数のうちの何れの切替ギヤ３を対応するポンプ駆動ギヤ１に接続させるか、を選択することができる。また、切替ギヤ３を介して駆動が入力される被駆動部としては、ポンプに限るものではなく、維持ユニットや大気開放弁などの他のメンテナンスユニットへ動力を伝達させる構成としても良い。
【手続補正１９】
【補正対象書類名】明細書
【補正対象項目名】００５１
【補正方法】変更
【補正の内容】
【００５１】
しかし、本発明を適用したポンプ駆動装置２０が備える駆動切替機構を用いれば、駆動源の正転も逆転も他のポンプやユニットの駆動ギヤとは独立して被駆動部に駆動力を伝達することができるため、他のデバイスの制約を受けることなく単独で駆動源を使用していた時と同様に自由に動作させることができる。また、このようなチューブポンプ２２はインク供給ポンプに使用され、ヘッドタンク１３５へインクを送るだけでなく、ヘッドタンク１３５からインクを吸引して、ヘッドタンク１３５の負圧を形成したり、ヘッドタンク１３５内に浸入した空気を吸引して排出させたりするときなどに使用される。
【手続補正２０】
【補正対象書類名】明細書
【補正対象項目名】００５２
【補正方法】変更
【補正の内容】
【００５２】
〔実施例３〕
次に、供給ポンプユニット１２４が備える四つの供給ポンプや維持回復機構１８１が備える吸引ポンプ等の駆動入力部に駆動を伝達してポンプを駆動するポンプ駆動装置の三つ目の実施例（以下、実施例３と呼ぶ）について説明する。
図８は、実施例３のポンプ駆動装置２０の概略構成図であり、図８（ａ）は、ポンプ駆動装置２０の正面図、図８（ｂ）は、ポンプ駆動装置２０の背面図、図８（ｃ）は、ポンプ駆動装置２０駆動装置の側面図である。
図８に示すポンプ駆動装置２０は、四つのポンプ２を備え、ポンプ２は、それぞれが備える駆動入力ギヤであるポンプ駆動ギヤ１に回転駆動の伝達を受けて駆動する。また、ポンプ駆動装置２０は、回転駆動モータ６、中央駆動ギヤ４、アイドラギヤ８、切替ギヤ３、切替ギヤ揺動レバー３ｂ、円形スリット板５及びスリット駆動モータ７等を備える。
【手続補正２１】
【補正対象書類名】明細書
【補正対象項目名】００５３
【補正方法】変更
【補正の内容】
【００５３】
実施例１では、四つのポンプ２のそれぞれに対応した四つの切替ギヤ軸３ａのすべてを一枚の円形スリット板５のスリット１２に挟む構成であったのに対して、実施例３では、装置の裏表に配置した二枚の円形スリット板５のスリット１２にそれぞれ二つずつの切替ギヤ軸３ａを挟む構成である点で実施例１と異なる。また、実施例３のポンプ駆動装置２０では、モータギヤ６ｇと中央駆動ギヤ４との間に第一出力ギヤ６１及び第二出力ギヤ６２を備える点でも実施例１と異なる。他の点は実施例１と同様であり、共通する符号で示す部材は共通する機能を有する。
【手続補正２２】
【補正対象書類名】明細書
【補正対象項目名】００５４
【補正方法】変更
【補正の内容】
【００５４】
実施例３のポンプ駆動装置２０では、四つの切替ギヤ軸３ａは二つの円形スリット板５の何れか一方のスリット１２に挟まれる構成なっている。切替ギヤ軸３ａがスリット１２における円状スリット部１２ａにあるときには、スリット１２の規制と切替ギヤ揺動レバー３ｂの規制とによって、切替ギヤ３の位置をポンプ駆動ギヤ１に対して離間した駆動非伝達位置とする。そして、スリット１２は、円状スリット部１２ａと連続したスリット部として、切替ギヤ軸３ａが到達したときに、切替ギヤ３を切替ギヤ揺動レバー３ｂがガイドする方向（アイドラギヤ軸８ａを中心とした回転方向）に移動させ、切替ギヤ３がポンプ駆動ギヤ１及びアイドラギヤ８の両方に噛み合う駆動伝達位置へと切替ギヤ３を移動させるギヤガイド方向スリット部としてのレバー揺動方向スリット部１２ｂを備える。
【手続補正２３】
【補正対象書類名】明細書
【補正対象項目名】００５５
【補正方法】変更
【補正の内容】
【００５５】
実施例３のポンプ駆動装置２０では、回転駆動モータ６によって発生する回転駆動力は、第一出力ギヤ６１、第二出力ギヤ６２、中央駆動ギヤ４及びアイドラギヤ８を経て切替ギヤ３に伝達する。切替ギヤ３は、円形スリット板５によってポンプ２に対して駆動を入力するポンプ駆動ギヤ１と、接続または離間する位置へとアイドラギヤ８の周囲を回転しながら移動することが可能である。二つの円形スリット板５はスリット駆動モータ７によって同時に回転する。このとき、スリット１２のレバー揺動方向スリット部１２ｂが切替ギヤ３の位置に回転してくると、不図示の切替ギヤ付勢バネの付勢力によって、切替ギヤ３はレバー揺動方向スリット部１２ｂに沿ってアイドラギヤ８の周囲を回転しながら、ポンプ駆動ギヤ１と接続する位置まで移動する。この状態で、回転駆動モータ６を駆動することによって、ポンプ駆動ギヤ１を介してポンプ２に回転駆動が伝達される。
【手続補正２４】
【補正対象書類名】明細書
【補正対象項目名】００５６
【補正方法】変更
【補正の内容】
【００５６】
実施例３のポンプ駆動装置２０では、装置の裏表に二つの円形スリット板５を配置して、スリット駆動モータ７を駆動させて、二つの円形スリット板５を同時に回転させることで、図８に示すように、装置の裏表に二個ずつ切替ギヤ３を配置することができ、レイアウトの自由度を広げることが出来る。
このとき、表側の円形スリット板５におけるレバー揺動方向スリット部１２ｂを配置した位置の位相をずらすことで、円形スリット板５に対し、円周上でそれぞれ同位置にあるポンプ駆動ギヤ１を互い独立して切替ギヤ３と接続することが出来る。逆に、位相を同じにしたり、位相と配置を組み合わせることで、毎回同時に二つのポンプ駆動ギヤ１を駆動させる構成を実現できる。
【手続補正２５】
【補正対象書類名】明細書
【補正対象項目名】００５７
【補正方法】変更
【補正の内容】
【００５７】
以上に説明したものは一例であり、本発明は、次の態様毎に特有の効果を奏する。
〔態様Ａ〕
それぞれが備えるポンプ駆動ギヤ１等の駆動入力ギヤに回転駆動の伝達を受けて駆動する三つ以上の複数のポンプ２等の被駆動部と、被駆動部に入力される回転駆動の駆動源である回転駆動モータ６等の回転駆動源と、回転駆動源の駆動により回転する一つ以上のアイドラギヤ８等の駆動出力ギヤと、複数の駆動入力ギヤのそれぞれに対応するように複数配置され、駆動入力ギヤ及び駆動出力ギヤにギヤ連結する駆動伝達位置に位置することで駆動出力ギヤの回転駆動を駆動入力ギヤに伝達する切替ギヤ３等の駆動伝達ギヤと、駆動伝達ギヤの位置を、駆動伝達ギヤが駆動入力ギヤ及び駆動出力ギヤの少なくとも一方に対して離間する駆動非伝達位置と駆動伝達位置との間で移動させることで被駆動部に対する駆動の入力状態を切り替える駆動切替手段と、を有するポンプ駆動装置２０等の駆動装置において、切替ギヤ３等の駆動伝達ギヤは、その回転軸に直交する平面に平行な方向に移動することで駆動非伝達位置と駆動伝達位置との間を移動し、駆動切替手段は、駆動伝達ギヤのそれぞれが駆動非伝達位置と駆動伝達位置との間を移動するように、駆動伝達ギヤの移動方向を規制して、ガイドする切替ギヤ揺動レバー３ｂ等の駆動伝達ギヤガイド部材と、駆動伝達ギヤの回転軸に直交する平面に平行な回転方向等の所定の方向に移動可能で、この移動方向に沿った形状に形成された円状スリット部１２ａ等の移動方向スリット部を含むスリット１２等のスリットに切替ギヤ３等の駆動伝達ギヤのすべての回転軸を挟み、駆動伝達ギヤの移動をスリットで規制する円形スリット板５等のスリット部材と、スリット部材の所定方向への移動動作の駆動源であるスリット駆動モータ７等のスリット部材駆動源と、を備え、駆動伝達ギヤの回転軸がスリットにおける移動方向スリット部にあるときには、スリットの規制と駆動伝達ギヤガイド部材の規制とによって、駆動伝達ギヤの位置を駆動非伝達位置または駆動伝達位置の一方の位置とし、スリットは、移動方向スリット部と連続したスリット部として、駆動伝達ギヤの回転軸が到達したときに、駆動伝達ギヤガイド部材がガイドする方向に移動させ、駆動非伝達位置または駆動伝達位置の他方の位置へと移動させるレバー揺動方向スリット部１２ｂ等のギヤガイド方向スリット部を備える。これによれば、実施例１乃至実施例３について説明したように、切替ギヤ３等の駆動伝達ギヤの回転軸が円状スリット部１２ａ等の移動方向スリット部にあるときには、切替ギヤ揺動レバー３ｂ等の駆動伝達ギヤガイド部材がガイドする方向に対してはスリット１２等のスリットの規制により移動することが出来ず、スリットに沿う方向に対しては、駆動伝達ギヤガイド部材の規制により移動することが出来ない。このため、スリット駆動モータ７等のスリット部材駆動源を駆動して、駆動伝達ギヤに対する円形スリット板５等のスリット部材の位置が変化しても、駆動伝達ギヤの回転軸が移動方向スリット部にあるときには、駆動伝達ギヤは、駆動非伝達位置または駆動伝達位置の一方の位置となる。さらに、スリット部材駆動源を駆動して、駆動伝達ギヤに対するスリット部材の位置がさらに変化して、駆動伝達ギヤの回転軸がレバー揺動方向スリット部１２ｂ等のギヤガイド方向スリット部に到達すると、駆動伝達ギヤの回転軸が駆動非伝達位置または駆動伝達位置の他方の位置へと移動する。このような構成により、態様Ａにおいては、スリット部材駆動源の駆動を制御して、駆動伝達ギヤに対するスリット部材の位置を制御することにより、任意の駆動伝達ギヤについて駆動非伝達位置と駆動伝達位置との間を移動させることができる。さらに、態様Ａにおいては、すべての駆動伝達ギヤの回転軸をスリット部材のスリットに挟んでいるため、三つ以上のすべての駆動伝達ギヤについて駆動非伝達位置と駆動伝達位置との間を移動させることができる。そして、複数の駆動伝達ギヤの少なくとも一つが駆動伝達位置にある状態で、回転駆動源を駆動させることで、駆動伝達位置に位置する駆動伝達ギヤにのみ駆動の伝達を行うため、スリット部材駆動源の駆動を制御することにより、駆動を伝達する被駆動部の選択を行うことができる。このように、態様Ａの駆動装置では、回転駆動源とスリット部材駆動源との二つの駆動源、すなわち、三つ以上の被駆動部よりも少ない駆動源によって、各被駆動部に対する駆動の伝達を行うことができ、駆動を伝達する被駆動部の選択を行うことができる。また、駆動伝達ギヤが駆動伝達位置に位置する状態では、駆動出力ギヤから駆動入力ギヤまでは駆動伝達ギヤを介した通常のギヤ連結であるため、被駆動部に対して正逆両方の駆動を伝達することができる。このように態様Ａによれば、三つ以上の被駆動部よりも少ない数の二つの駆動源によって各被駆動部に対する駆動の伝達を行う構成で、駆動を伝達する被駆動部の選択と、選択した被駆動部に対して正逆両方向の回転駆動の伝達とを行うことが出来る。
〔態様Ｂ〕
〔態様Ａ〕において、直線スリット板９等のスリット部材は、スリット駆動モータ７等のスリット部材駆動源が駆動することによって、直線状の往復移動を行う。これによれば、実施例２について説明したように、直線状に配置した複数のポンプ２等の被駆動部に対して、駆動を伝達する被駆動部の選択と、選択した被駆動部に対して正逆両方向の回転駆動の伝達とを行うことが出来る。
〔態様Ｃ〕
〔態様Ａ〕において、円形スリット板５等のスリット部材は、スリット駆動モータ７等のスリット部材駆動源が駆動することによって、回転移動する。これによれば、実施例１及び実施例３について説明したように、円周上に配置した複数のポンプ２等の被駆動部に対して、駆動を伝達する被駆動部の選択と、選択した被駆動部に対して正逆両方向の回転駆動の伝達とを行うことが出来る。
〔態様Ｄ〕
〔態様Ａ〕乃至〔態様Ｃ〕の何れか一つの態様において、円形スリット板５等の一つのスリット部材のスリット１２等のスリットに対して、複数の切替ギヤ３等の駆動伝達ギヤの回転軸が配置されている。これによれば、実施例１乃至実施例３について説明したように、一つの円形スリット板５の移動を制御することにより、複数のポンプ２等の被駆動部に対して、駆動を伝達する被駆動部の選択と、選択した被駆動部に対して正逆両方向の回転駆動の伝達とを行う構成を実現することができる。
〔態様Ｅ〕
〔態様Ａ〕乃至〔態様Ｄ〕の何れか一つの態様において、スリット駆動モータ７等のスリット部材駆動源が駆動することによって、円形スリット板５等の複数の上記スリット部材が移動する。これによれば、実施例３について説明したように、レイアウトの自由度を広げることが出来る。
〔態様Ｆ〕
異なる種類のインク等の液体を液滴として吐出するノズル孔を備えた複数のヘッド部を備えた吐出ヘッド１３４等の記録ヘッドと、複数のヘッド部にそれぞれ液体を供給するヘッドタンク１３５等の複数のヘッドタンクと、記録ヘッドに供給する液体を収容する交換可能なインクカートリッジ１１０等の複数のメインタンクと、複数のメインタンクから複数のヘッドタンクにそれぞれ液体を送液し、且つ、ヘッドタンクからメインタンクに液体を逆送することができるポンプ２等の複数の送液ポンプと、複数の送液ポンプに対して回転駆動を伝達して、各送液ポンプを駆動するポンプ駆動手段とを備え、ノズル孔から吐出した液体を用紙１４２等の記録媒体に付着させることで画像を形成するプリンタ１００等の画像形成装置において、ポンプ駆動手段として、態様Ａ乃至Ｅの何れか一つの態様のポンプ駆動装置２０等の駆動装置を用い、回転駆動モータ６等の回転駆動源はポンプ２等の送液ポンプを被駆動部として回転駆動を伝達する。これによれば、上述した実施形態について説明したように、三つ以上の被駆動部よりも少ない数の二つの駆動源によって各被駆動部に対する駆動の伝達を行う構成で、駆動を伝達する被駆動部の選択と、選択した被駆動部に対して正逆両方向の回転駆動の伝達とを行うことが出来るため、被駆動部の回転方向の自由度を維持しつつ、プリンタ１００装置本体の小型化及びコスト削減を図ることができる。
〔態様Ｇ〕
〔態様Ｆ〕において、ヘッド部におけるノズル孔が設けられたノズル面をキャッピングするキャップ１８２等のキャッピング部材と、キャッピング部材に接続され、駆動することによってキャッピングされた状態のノズル面に対して負圧を作用させる吸引ポンプとを備え、回転駆動モータ６等の回転駆動源は吸引ポンプを上記被駆動部として回転駆動を伝達する。これによれば、上述した実施形態について説明したように、回転駆動源を供給ポンプの駆動源としてだけでなく、吸引ポンプの駆動源として用いることができるので、駆動源を増やすことなく、吸引ポンプを使用することができ、プリンタ１００装置本体の小型化及びコスト削減を図ることができる。
〔態様Ｈ〕
〔態様Ｆ〕または〔態様Ｇ〕において、回転駆動が入力されることにより、ヘッドタンク１３５等のヘッドタンクの内部を大気開放するように開閉可能な大気開放弁２０４等の大気開放機構を備え、回転駆動モータ６等の回転駆動源は大気開放機構を被駆動部として回転駆動を伝達する。これによれば、上述した実施形態について説明したように、回転駆動源を供給ポンプの駆動源としてだけでなく、大気開放機構の駆動源として用いることができるので、駆動源を増やすことなく、大気開放機構を使用することができ、プリンタ１００装置本体の小型化及びコスト削減を図ることができる。
【手続補正２６】
【補正対象書類名】明細書
【補正対象項目名】００５８
【補正方法】変更
【補正の内容】
【００５８】
１  ポンプ駆動ギヤ
２  ポンプ
３  切替ギヤ
３ａ  切替ギヤ軸
３ｂ  切替ギヤ揺動レバー
４  中央駆動ギヤ
５  円形スリット板
５ａ  スリット板回転軸
６  回転駆動モータ
６ｇ  モータギヤ
７  スリット駆動モータ
８  アイドラギヤ
８ａ  アイドラギヤ軸
９  直線スリット板
１０  スリット駆動リンク
１１  スリット駆動カム
１２  スリット
１２ａ  円状スリット部
１２ｂ  レバー揺動方向スリット部
１２ｃ  直線状スリット部
２０  ポンプ駆動装置
２２  チューブポンプ
１００  プリンタ
１０１  装置本体
１０４  カートリッジ装填部
１１０  インクカートリッジ
１２４  供給ポンプユニット
１３４  吐出ヘッド
１３５  ヘッドタンク
２０１  負圧レバー
２０２  フィルム状部材
２０３  ヘッドタンク供給口
２０４  大気開放弁
【手続補正２７】
【補正対象書類名】図面
【補正対象項目名】図１
【補正方法】変更
【補正の内容】
【図１】
2013063522.tif 000001
【手続補正２８】
【補正対象書類名】図面
【補正対象項目名】図８
【補正方法】変更
【補正の内容】
【図８】
2013063522.tif 000002